(57)【要約】      （修正有）【課題】食品収納容器をカップ容器に取り付けることにより、食品収納容器から食品を取り出してカップなどに移し変える必要がなく、喫食後、カップ容器から食品収納容器を取り外して捨てることができ、食品収納容器を開口させるときにカップ容器から外れたり、喫食するときに回転してしまったり、外れてしまったりする恐れがないリフィル容器を提供する。【解決手段】繰り返し使用するカップ容器１０と、食品が収納された食品収納容器とからなるリフィル容器１であって、食品収納容器は容器本体２１と開口蓋２２からなり、カップ容器の上部に形成されたカップ螺子部と、食品収納容器の容器本体２１の上部に形成された収納容器螺子部２１４とが螺合でき、着脱可能である。また、食品収納容器の容器本体の上部に、カップ容器の上端を覆って折り返された折返し部２１３が設けられている。【選択図】図４
2015071445.tif 000002
【特許請求の範囲】
【請求項１】
繰り返し使用するカップ容器と、食品が収納された食品収納容器とからなるリフィル容器であって、
前記カップ容器の上部に形成されたカップ螺子部と、前記食品収納容器の容器本体の上部に形成された収納容器螺子部とが螺合でき、着脱可能であることを特徴とするリフィル容器。
【請求項２】
前記食品収納容器の容器本体の上部に、前記カップ容器の上端を覆って折り返された折返し部が設けられていることを特徴とする請求項１に記載のリフィル容器。
【請求項３】
前記折返し部に前記収納容器螺子部が設けられ、前記カップ容器の外面に設けられたカップ螺子部に、前記収納容器螺子部が螺合できることを特徴とする請求項２に記載のリフィル容器。
【発明の詳細な説明】
【技術分野】
【０００１】
本発明は、リフィル容器に関するものである。特に、繰り返し使用するカップ容器と、食品が収納された食品収納容器からとなるリフィル容器に関するものである。
【背景技術】
【０００２】
即席麺、即席パスタ、アルファー化米による即席ご飯など、お湯を注いで調理する食品は、軟包装材料に包装され、別容器に入れて調理して食するものもあるが、紙カップなどを用いた二重壁容器に収納されていて、その二重壁容器に直接お湯を注いで調理し、そのまま食するものが、多く市販されている（二重壁容器の例は、特許文献１）。
【０００３】
また、最近では、別途用意したカップ容器に食品収納容器ごと収納し、食品収納容器内に熱湯を注加して調理し、喫食後食品収納容器をカップ容器から外して廃棄するようにしたものが開発されている。このような形態であれば、包装体から内容物を取り出してカップなどに移し変える必要がないため、手が汚れずにハンドリング性がよい。
【０００４】
例えばこのようなものとしては、食品収納容器が、易開封性の開口蓋と包装体本体からなっていて、包装体本体が深絞り型の軟包材で、開口蓋がシート状のものがある。そして、包装体本体のフランジ部に開口蓋が易開封性に接着され、包装体本体内に食品が脱気包装されて封入されている。
【０００５】
この包装された食品を調理するには、別途用意した剛性のカップ内に食品収納容器の開口部を上にして挿嵌して固定し、易開封性の開口蓋を剥ぎ取り、開口部から食品収納容器に熱湯を注加するか、又は、先に易開封性の開口蓋を剥ぎ取り、カップに食品収納容器をその開口部を上にして挿嵌して固定し、開口部から食品収納容器に熱湯を注加して調理する。
【０００６】
このための食品収納容器の包装体本体の形状については、カップの開口上端部の外縁を覆うように嵌着できるカップ状容器であることが望ましいと例示されている（特許文献２）。
【０００７】
しかし、このように嵌着するだけでは、カップと食品収納容器の包装体本体の間は、固定されずに、開口蓋を包装体本体から剥がすときに外れてしまったり、調理後の食品を喫食するときに回転してしまったり、外れてしまったりする恐れや、さらには、フランジ部の嵌合端面等において唇を傷つけたりする恐れがあり、必ずしも、満足されるものではなかった。
【０００８】
公知文献を以下に示す。
【先行技術文献】
【特許文献】
【０００９】
【特許文献１】実開平６−６７３１２号公報
【特許文献２】特開２００８−１５５９６５号公報
【発明の概要】
【発明が解決しようとする課題】
【００１０】
本発明は上記のような事情に鑑みてなされたもので、食品収納容器をカップ容器に取り付けることにより、食品収納容器から食品を取り出してカップなどに移し変える必要がな
く、喫食後、カップ容器から食品収納容器を取り外して捨てることができ、食品収納容器を開口させるときにカップ容器から外れたり、喫食するときに回転してしまったり、外れてしまったり、唇を傷つけてしまったりする恐れがない、食品収納容器とカップ容器からなるリフィル容器を提供することを課題としている。
【課題を解決するための手段】
【００１１】
本発明は係る課題に鑑みなされたものであり、請求項１の発明は、繰り返し使用するカップ容器と、食品が収納された食品収納容器とからなるリフィル容器であって、
前記カップ容器の上部に形成されたカップ螺子部と、前記食品収納容器の容器本体の上部に形成された収納容器螺子部とが螺合でき、着脱可能であることを特徴とするリフィル容器である。
【００１２】
本発明の包装袋は、以上のような構成であって、繰り返し使用するカップ容器の上部に形成されたカップ螺子部と、食品収納容器の容器本体の上部に形成された収納容器螺子部とが螺合できるので、食品収納容器から食品を取り出してカップなどに移し変える必要がなく、喫食後、カップ容器から食品収納容器を取り外して捨てることができ、食品収納容器を開口させるときにカップ容器から外れたり、喫食するときに回転してしまったり、外れてしまったりする恐れがない。
【００１３】
本発明の請求項２の発明は、前記食品収納容器の容器本体の上部に、前記カップ容器の上端を覆って折り返された折返し部が設けられていることを特徴とする請求項１に記載のリフィル容器である。
【００１４】
本発明は、食品収納容器の容器本体の上部に前記カップ容器の上端を覆って折り返された折返し部が設けられているので、喫食するときにスープなどの液体が、食品収納容器の容器本体とカップ容器の間に入り込んでしまうことがない。さらには、十分な折返し部が設けられているので、喫食時にフランジ端が唇にあたる（接する）ことがなく、傷つける恐れも不安もない。
【００１５】
本発明の請求項３の発明は、前記折返し部に前記収納容器螺子部が設けられ、前記カップ容器の外面に設けられたカップ螺子部に、前記収納容器螺子部が螺合できることを特徴とする請求項２に記載のリフィル容器である。
【００１６】
本発明は、折返し部に前記収納容器螺子部が設けられ、前記カップ容器の外面に設けられたカップ螺子部に、前記収納容器螺子部が螺合できるので、収納容器螺子部とカップ容器の胴部をそれぞれの手で持って回して、螺合することができるので、力が伝わりやすく、容易に螺合することができる。
【発明の効果】
【００１７】
本発明のリフィル容器は、食品収納容器をカップ容器に取り付けることにより、食品収納容器から食品を取り出してカップなどに移し変える必要がなく、カップなどを洗う手間が掛からず、喫食後、カップ容器から食品収納容器を取り外して捨てることができ、食品収納容器を開口させるときにカップ容器から外れたり、喫食するときに回ってしまったりする恐れがない。
【図面の簡単な説明】
【００１８】
【図１】本発明のリフィル容器の一例の食品収納容器の容器本体を模式的に示した説明図である。（Ａ）正面図である。（Ｂ）平面図である。
【図２】本発明のリフィル容器の一例の食品収納容器の開口蓋を模式的に平面図で示した説明図である。
【図３】本発明のリフィル容器の一例のカップ容器を模式的に正面で示した説明図である。
【図４】本発明のリフィル容器の一例で、食品収納容器の容器本体をカップ容器に螺合した状態を模式的に正面で一部透視して示した説明図である。
【図５】本発明のリフィル容器の一例で、食品収納容器の容器本体をカップ容器に螺合した状態の螺合部分を拡大して模式的に断面で示した説明図である。
【発明を実施するための形態】
【００１９】
以下、本発明を実施するための形態につき説明する。
図１は、本発明のリフィル容器の一例の食品収納容器の容器本体を模式的に示した説明図で、（Ａ）は、正面図、（Ｂ）は、平面図である。
図２は、本発明のリフィル容器の一例の食品収納容器の開口蓋を模式的に平面図で示した説明図、図３は、本発明のリフィル容器の一例のカップ容器を模式的に正面で示した説明図である。
【００２０】
本例のリフィル容器１は、繰り返し使用するカップ容器１０と、食品収納容器２０とからなっている。食品収納容器２０は、更に、図１（Ａ）正面図、（Ｂ）平面図のような、容器本体２１と、図２のような、開口蓋２２とからなっている。
【００２１】
食品収納容器２０の容器本体２１は、底のある筒状の胴部２１１と胴部上端から外側に延びるフランジ部２１２とフランジ部２１２端部より下方に折り返された折返し部２１３からなっている。
【００２２】
胴部２１１の上端とフランジ部２１２と折返し部２１３により、カップ容器１０の上端を覆うようになっている。そして、折返し部２１３には、収納容器螺子部２１４が設けられている。この収納容器螺子部２１４と、後述するカップ容器１０のカップ螺子部とが螺合するようになっている。
【００２３】
食品収納容器２０の容器本体２１は、プラスチックシートを加熱軟化させて、真空や圧空により型に密着させるシート成形によって形成することができる。プラスチックシートとしては、ポリプロピレンシートが好ましく使用することができる。厚さとしては、特に限定されないが、５００μｍ程度のシートが好ましく使用できる。
【００２４】
また、ナイロンの無延伸フィルムなどを積層して多層にすることもできる。更にはバリア性の高いエチレンビニルアルコール共重合体や、ＭＸＤナイロンなどを積層することもできる。
【００２５】
食品収納容器２０の開口蓋２２には、本例ではフィルム状の蓋を用いている。開口蓋２２は、図２の平面図のように、円形の本体部分２２１とそこから突き出たつまみ部２２２が設けられた形状になっている。円形の本体部分２２１の大きさは、容器本体２１のフランジ部２１２にシールできる大きさにする。
【００２６】
シート状の開口蓋２２は、プラスチックフィルム、あるいは、プラスチックフィルムと紙やアルミニウム箔を積層した多層フィルムからなっていて、食品収納容器２０の容器本体２１にシールするためのシーラントフィルムが最内層に設けられている。シーラントフィルムは、容器本体２１にシールしたときに、剥離可能な易剥離性のシーラントフィルムであることが望ましい。
【００２７】
本例では、開口蓋２２にフィルム状の蓋を用いたが、他の形式の蓋でも良い。例えば、被せ蓋にしても良いし、あるいは、フィルム状の蓋の上に被せ蓋を被せることもできる。
【００２８】
カップ容器１０は、図３のように、上端部が開口された底のある筒状の胴部１１と、取っ手部１２からなっている。胴部１１の上部には、外周面にカップ螺子部１１１が設けられている。このカップ螺子部１１１と、前述の食品収納容器２０の収納容器螺子部２１４とが螺合するようになっている。
【００２９】
胴部１１の下部の内周面には、食品収納容器２０の容器本体２１をずれないように支え、また、胴部１１の外壁と、食品収納容器２０の容器本体２１の胴部２１１が接しないようにして断熱効果を持たせる、リブ１１２が設けられている。
【００３０】
取っ手部１２の上端と下端は、それぞれ、胴部１１の上部と下部に接続していて、その間に手が入って持てるようになっている。また、本例では、取っ手部１２は断面がＨ型をしていて、手が当たっても痛くなく、且つ軽量化を図っている。
【００３１】
本例では、上記の形状のカップ容器１０を用いたが、これに限定されるものではなく、取っ手部のないカップ容器でもよく、食品収納容器２０の食品収納部分が中に入り、且つ、収納容器螺子部２１４と螺合できるカップ螺子部１１１が上部に形成できる形状であれば特にこだわらない。
【００３２】
カップ容器１０は、インジェクション成形で作ることができる。用いる樹脂としては、ポリエチレンやポリプロピレン、ポリスチレンなどのオレフィン系樹脂や、ナイロン、ポリエステルなどを使用することができる。
【００３３】
本例のリフィル容器１の使用方法について以下説明する。
図４は、本発明のリフィル容器の一例で、食品収納容器の容器本体をカップ容器に螺合した状態を模式的に正面で一部透視して示した説明図、図５は、本発明のリフィル容器の一例で、食品収納容器の容器本体をカップ容器に螺合した状態の螺合部分を拡大して模式的に断面で示した説明図である。
【００３４】
本例のリフィル容器１を使用して、食品を調理し喫食するには、先ず、食品が収納され、密封された食品収納容器２０をカップ容器１０に取り付ける。このとき、カップ容器１０の胴部１１の中に、食品収納容器２０を容器本体２１の胴部２１１から差し込む。
【００３５】
そして、カップ容器１０の胴部１１の上端部を、食品収納容器２０の胴部２１１の上端部とフランジ部２１２と折返し部２１３で覆うように差し込んで行き、食品収納容器２０の収納容器螺子部２１４を回して、カップ容器１０のカップ螺子部１１１に螺合する。
【００３６】
このとき、収納容器螺子部２１４の設けられた折返し部２１３と、カップ容器１０の胴部１１をそれぞれの手で持って回して、螺合することができるので、力が伝わりやすく、容易に螺合することができる。
【００３７】
このようにすると、容器本体２１の胴部２１１がカップ容器１０の胴部１１に入った状態で、カップ容器１０に食品収納容器２０が固定される。この状態にした後で、開口蓋２２を開封する。このとき、カップ容器１０に食品収納容器２０が固定されているので、食品収納容器２０がカップ容器１０から外れてしまうことがない。
【００３８】
食品収納容器２０はカップ容器１０に固定されているので、一方の手でカップ容器１０の取っ手部１２を持ち、もう一方の手で開口蓋２２のつまみ部２２２を持って持ち上げ、簡単に開封することができ、中身をこぼしたり、つぶしたりする恐れがない。
【００３９】
そして、開封部分よりお湯を注ぎ込み調理する。開口蓋２２がフィルム状の蓋の場合、お湯を注げる程度に部分的に開封し、お湯を注いだ後、開口蓋２２をまっすぐ平になるようにして、開封した部分を塞ぎ、調理する。調理後、開口蓋２２を完全に取り去り、調理された食品を喫食する。
【００４０】
被せ蓋が更についている場合は、フィルム状の蓋を完全に剥がして開封する。そして、お湯を注いだ後、被せ蓋を被せて、開封された開口部を塞いで調理する。調理後、被せ蓋を取り去って、調理された食品を喫食する。
【００４１】
喫食するとき、カップ容器１０の上端縁は、食品収納容器２０の胴部２１１の上端部とフランジ部２１２と折返し部２１３で覆われているので、食品のスープなどが、食品収納容器２０の容器本体２１とカップ容器１０の間に入り込んでしまうことがなく、唇を傷つけたりする恐れもない。また、カップ容器１０の中で、食品収納容器２０の容器本体２１が回転してしまったり、喫食に際して傾けたときに外れたりする恐れがない。
【００４２】
喫食後、食品収納容器２０の容器本体２１を回して、カップ螺子部１１１と収納容器螺子部２１４の螺合を外して、分離させ、食品収納容器２０の容器本体２１を廃棄する。カップ容器１０は、食品および口（唇）には触れることがないので、特に洗う必要はなく、再度、取っておいて、繰り返し使用することができる。
【００４３】
以上のように、本発明のリフィル容器１では、食品収納容器２０をカップ容器１０に取り付けることによって、食品収納容器２０から食品を取り出して他の容器に移し替える必要がない。
【００４４】
また、食品が食品収納容器２０に入ったまま調理され、喫食することができ、喫食後、カップ容器１０から食品収納容器２０の容器本体２１を取り外して廃棄するので、洗う必要がなく、簡便に食することができる。
【００４５】
食品収納容器２０を開口させるときにカップ容器１０から外れたり、喫食するときに、カップ容器１０の中で、食品収納容器２０の容器本体２１が回転してしまったり、外れてしまったりする恐れがない。更には、喫食時に、食品のスープなどが、食品収納容器２０の容器本体２１とカップ容器１０の間に入り込んでしまうことがない。
【符号の説明】
【００４６】
１・・・リフィル容器
１０・・・カップ容器
１１・・・胴部
１２・・・取っ手部
１１１・・・カップ螺子部
１１２・・・リブ
２０・・・食品収納容器
２１・・・容器本体
２１１・・・胴部
２１２・・・フランジ部
２１３・・・折返し部
２１４・・・収納容器螺子部
２２・・・開口蓋
２２１・・・本体部分
２２２・・・つまみ部
【図１】
2015071445.tif 000003
【図２】
2015071445.tif 000004
【図３】
2015071445.tif 000005
【図４】
2015071445.tif 000006
【図５】
2015071445.tif 000007